(57)【特許請求の範囲】
【請求項１】
チケット発行装置とチケット入力装置とを有するチケット管理システムであって、
上記チケット発行装置は、外部装置より鍵情報を入力する手段と、上記入力された鍵情報を用いて特定の情報を不可視の電子透かしとして電子チケットに付加する付加手段とを有し、
上記チケット入力装置は、特定の情報が付加された電子チケットをプリント出力した出力チケットを入力する手段と、外部装置より鍵情報を入力する手段と、上記入力された出力チケットから、上記入力された鍵情報を用いて、上記特定の情報を取得できるか否かを判別する判別手段と、上記判別手段において上記特定の情報が取得できた場合に、上記出力チケットが原本であるとともに上記出力チケットの所有者が正当であると判断する判断手段とを有し、
上記付加手段で用いられる電子透かしは、上記出力チケットを複製した出力チケットには付加されない電子透かしであることを特徴とするチケット管理システム。
【請求項２】
上記付加手段は、鍵を用いて暗号化された上記特定の情報を上記電子チケットに付加し、上記判別手段は、上記付加手段により付加された暗号化された上記特定の情報を鍵を用いて復号して取得できるか否かを判別することを特徴とする請求項１に記載のチケット管理システム。
【請求項３】
上記特定の情報は、上記電子チケットの内容に関する情報、あるいは、上記電子チケットを一意に識別するため情報、あるいは、上記電子チケットの発行者を一意に識別するための情報、あるいは、上記電子チケットの発行日時に関する情報、あるいは、上記電子チケットの価値に関する情報のうち少なくも１つであることを特徴とする請求項１又は２に記載のチケット管理システム。
【請求項４】
鍵情報を用いて特定の情報が不可視の電子透かしとして付加されている電子チケットをプリント出力した出力チケットを入力する入力手段と、
外部装置より鍵情報を入力する手段と、
上記入力手段により入力された出力チケットから、上記入力された鍵情報を用いて、上記特定の情報が取得できるか否かを判別する判別手段と、
上記判別手段において上記特定の情報が取得できた場合に、上記出力チケットが原本であるとともに上記出力チケットの所有者が正当であると判断する判断手段とを有し、
上記付加手段で用いられる電子透かしは、上記出力チケットを複製した出力チケットには付加されない電子透かしであることを特徴とするチケット入力装置。
【請求項５】
鍵情報を用いて特定の情報が不可視の電子透かしとして付加されている電子チケットをプリント出力した出力チケットを入力する入力工程と、
外部装置より鍵情報を入力する鍵情報入力工程と、
上記入力工程において入力された出力チケットから、上記鍵情報入力工程において入力された鍵情報を用いて、上記特定の情報が取得できるか否かを判別する判別工程と、
上記判別工程において上記特定の情報が取得できた場合に、上記出力チケットが原本であるとともに上記出力チケットの所有者が正当であると判断する判断工程とを有し、
上記付加工程において用いられる電子透かしは、上記出力チケットを複製した出力チケットには付加されない電子透かしであることを特徴とするチケット入力装置の制御方法。
【請求項６】
上記請求項４に記載のチケット入力装置の各手段としてコンピュータを機能させることを特徴とするプログラム。
【請求項７】
上記請求項６に記載のプログラムを記憶したことを特徴とするコンピュータ読み取り可能な記憶媒体。
【発明の詳細な説明】
【０００１】
【発明の属する技術分野】
本発明はチケットを電子化した電子チケットとして発行し、その電子チケットを出力したチケットを流通させるチケット管理システム、チケット入力装置、チケット入力装置の制御方法、プログラム及び記憶媒体に関する。
【０００２】
【従来の技術】
近年、計算機の高性能化、及び静止画像や動画像や音声といった様々なデータを符号化する技術が発展したことにより、様々なデータを電子化して取り扱うようになってきた。更に、インターネットに代表されるように、情報通信インフラも整備され、電子化されたデータが自由に流通できる背景が整ってきた。
【０００３】
上述のような技術背景のもと、従来は紙で管理されていたデータについても、電子化されて管理されるようになってきている。例えば、現在、窓口等で販売されているチケットも電子化されてきている。電子チケットを発行し、電子チケットのＩＤコードなどを紙に印刷した紙チケットを流通させるシステムである。
【０００４】
【発明が解決しようとする課題】
このようなシステムでは、電子チケットのＩＤコードはアスキーコードやバーコード等のコードを紙に印字してあるため、簡単に真似をして複製することができ、不正な紙チケットを作成できてしまうという問題があった。
【０００５】
また、このようなシステムでは、チケットの所有者が、正当な所有者であるか否かを検証することができないので、例えば、他人のチケットを拾った者がその紙チケットを利用できてしまうという問題があった。
【０００６】
本発明は上述の問題点にかんがみてなされたもので、出力チケットが電子チケットを出力した原本の出力チケットであるかを検証できるようにすることを第１の目的とする。
また、出力チケットの所有者が正当な利用者であるかどうかを検証できるようにすることを第２の目的とする。
【０００７】
【課題を解決するための手段】
本発明のチケット管理システムは、チケット発行装置とチケット入力装置とを有するチケット管理システムであって、上記チケット発行装置は、外部装置より鍵情報を入力する手段と、上記入力された鍵情報を用いて特定の情報を不可視の電子透かしとして電子チケットに付加する付加手段とを有し、上記チケット入力装置は、特定の情報が付加された電子チケットをプリント出力した出力チケットを入力する手段と、外部装置より鍵情報を入力する手段と、上記入力された出力チケットから、上記入力された鍵情報を用いて、上記特定の情報を取得できるか否かを判別する判別手段と、上記判別手段において上記特定の情報が取得できた場合に、上記出力チケットが原本であるとともに上記出力チケットの所有者が正当であると判断する判断手段とを有し、上記付加手段で用いられる電子透かしは、上記出力チケットを複製した出力チケットには付加されない電子透かしであることを特徴としている。
【０００９】
本発明のチケット入力装置は、鍵情報を用いて特定の情報が不可視の電子透かしとして付加されている電子チケットをプリント出力した出力チケットを入力する入力手段と、外部装置より鍵情報を入力する手段と、上記入力手段により入力された出力チケットから、上記入力された鍵情報を用いて、上記特定の情報が取得できるか否かを判別する判別手段と、上記判別手段において上記特定の情報が取得できた場合に、上記出力チケットが原本であるとともに上記出力チケットの所有者が正当であると判断する判断手段とを有し、上記付加手段で用いられる電子透かしは、上記出力チケットを複製した出力チケットには付加されない電子透かしであることを特徴としている。
【００１１】
本発明のチケット入力装置の制御方法は、鍵情報を用いて特定の情報が不可視の電子透かしとして付加されている電子チケットをプリント出力した出力チケットを入力する入力工程と、外部装置より鍵情報を入力する鍵情報入力工程と、上記入力工程において入力された出力チケットから、上記鍵情報入力工程において入力された鍵情報を用いて、上記特定の情報が取得できるか否かを判別する判別工程と、上記判別工程において上記特定の情報が取得できた場合に、上記出力チケットが原本であるとともに上記出力チケットの所有者が正当であると判断する判断工程とを有し、上記付加工程において用いられる電子透かしは、上記出力チケットを複製した出力チケットには付加されない電子透かしであることを特徴としている。
【００１２】
本発明のプログラムは、前記に記載のチケット入力装置の各手段としてコンピュータを機能させることを特徴としている。
【００１３】
本発明の記憶媒体は、前記に記載のプログラムを記憶したことを特徴としている。
【００１４】
【発明の実施の形態】
［第１の実施の形態］
以下、本発明のチケット管理システム、チケット入力装置、チケット入力装置の制御方法、プログラム及び記憶媒体の第１の実施の形態を説明する。
【００１５】
第１の実施の形態のチケット管理システムでは、原本性を確認するための原本確認情報を、電子チケットを紙媒体に出力した紙チケットにも付加できるように、電子チケットに付加する。そして、紙チケットから原本確認情報が取得できるか否かを判別する。
【００１６】
＜チケット管理システムの全体構成及び概略＞
図１は、チケット管理システムの構成を説明する図である。
第１の実施の形態のチケット管理システムは、単一または複数のチケット発行システム１０１と、複数のチケット出力システム１０２と、複数または単一のチケット入力システム１０４とから構成されている。それぞれのシステムは、ネットワーク１０３で相互に接続されている。
【００１７】
本実施の形態においてネットワーク１０３で接続されているということは、単にＬＡＮ（Local Area Network）等により常時ネットワーク１０３に接続されていることだけを意味するのではなく、ダイアルアップ接続により一時的にネットワーク１０３に接続されていることも意味し、さらにはＦＤ（Flexible Disc）、ＩＣ（Integrated Circuit）カード、メモリカード等のデジタル情報の記憶媒体を介してデジタル情報を送受信することも意味する。
【００１８】
まず、図１を用いて本実施の形態の概略を説明する。
第１の過程は「電子チケット流通」である。「電子チケット流通」は、チケットが発行されてから、利用者に流通するまでの過程である。
【００１９】
具体的には、チケット発行システム１０１が紙チケットの原本性を保証するための原本確認情報を付加した電子チケットを発行し、ネットワーク１０３経由でチケット出カシステム１０２ヘ流通させる過程である。
【００２０】
第２の過程は「紙チケット流通」である。「紙チケット流通」は、チケットがチケットの利用者からチケットの検証者まで流通する過程である。具体的には、チケット出力システム１０２が、電子チケットを紙チケットへ変換し、紙チケットをチケット入力システム１０４ヘ物理的に流通させる過程である。
【００２１】
第３の過程は「チケット利用状況情報流通」である。「チケット利用状況情報流通」は、チケットの検証が行われ、チケット利用状況情報がチケット発行システム１０１へ流通する過程である。具体的には、チケット入力システム１０４が紙チケットの原本性の検証を行い、ネットワーク１０３経由でチケット発行システム１０１へチケット利用状況情報を流通させる過程である。本実施の形態は上記３つの流通過程からなり、以下にそれぞれについて個別に説明する。
【００２２】
先ず、最初に「電子チケット流通」に関して説明する。
＜チケット発行システム１０１の構成＞
図２は、チケット発行システム１０１の構成を示した図である。
第１の実施の形態のチケット発行システム１０１は、チケット発行装置２０１と、原本確認情報生成装置２０２と、原本確認情報付加装置２０３とから構成されている。
【００２３】
チケット発行装置２０１は、電子チケットを生成する装置である。電子チケットは、発行条件（発行者のＩＤ情報、発行の日時情報、チケットの価値情報等のチケットに必要な情報）に基づいて生成される。なお、上記以外の付加的な情報については特に限定しない。
【００２４】
また、電子チケットは、紙チケットとしても流通するので、電子的な利用を想定したバイナリデータだけでなく、紙に表現された形での利用を想定した文字列や静止画像データ等も含む。
【００２５】
これは、電子チケットに文字列、静止画像データが含まれていることだけを示しているのでない。例えば、アスキーコードしか送信できない電子メイルシステムにおいて、添付ファイル付きで電子メイルを送信する時に、uuencode等によりバイナリデータをアスキーコードヘ変換して電子メイルに添付する方法と同様に、電子チケットから紙チケットヘ変換する時にバイナリデータをアスキーコードなどに変換することによって文字列、静止画像データを紙チケットヘ表現することも含んでいる。以下、本実施の形態においては、紙チケットに静止画像データが含まれていると想定する。
【００２６】
原本確認情報生成装置２０２は、紙チケットの原本性を確認するための情報である原本確認情報を生成する装置である。例えば、原本確認情報は、チケットの内容を示すチケットＩＤや、チケット毎に異なるシリアルコードや、マークなどであったり、それらの組み合わせであったりする。
【００２７】
また、その他の情報であったり、その他の情報を組み合わせたりしてもよいが、特に限定しない。尚、チケットＩＤの具体例としては、「○○映画のチケット」、「××駅から△△駅までの乗車券」が挙げられる。また、シリアルコードの具体例としては、チケットを一意に識別するためにチケット毎に異なる数字列や文字列、それらの組み合わせが挙げられる。本実施の形態は、原本確認情報だけで紙チケットの原本性を保証する発明でないため、例えばデジタル署名の技術を用いて、原本確認情報自身を保証することは必須でない。
【００２８】
原本確認情報付加装置２０３は、電子チケットと原本確認情報を入力し、電子チケットに原本確認情報を付加する装置である。本実施の形態では、電子チケットに基づいて紙媒体に印刷された紙チケットにも原本確認情報が付加され、また、電子チケットに基づいて印刷された紙チケットを真似て複製した不正な紙チケットには原本確認情報が付加されない電子透かし技術を用いて、原本確認情報を電子透かしデータとして電子チケットに付加する。尚、紙チケットには人間の目には不可視に原本確認情報が付加される。また、複写機などを用いて紙チケットをコピーして複製した紙チケットも、画像が劣化してしまうため原本確認情報が付加されないと考えられる。
【００２９】
＜チケット発行システム１０１の動作＞
図５は、第１の実施の形態におけるチケット発行システム１０１の手順を示すフローチャートである。尚、チケット発行システム１０１は、チケット発行システム１０１内にあるメインコントローラ（図示せず）により制御される。
【００３０】
チケット発行システム１０１は、チケット発行装置２０１により電子チケットを生成する（ステップＳ５０１）。
次に、チケット発行システム１０１は、原本確認情報生成装置２０２により原本確認情報を生成する（ステップＳ５０２）。
【００３１】
次に、チケット発行システム１０１は、原本確認情報付加装置２０３に、電子チケットと原本確認情報を入力し、電子チケットに原本確認情報を付加する（ステップＳ５０３）。
次に、チケット発行システム１０１は、ネットワーク１０３を経由してチケット出力システム１０２へ原本確認情報が付加された電子チケットを送信する（ステップＳ５０４）。
【００３２】
次に、「紙チケット流通」に関して説明する。
＜チケット出力システム１０２の構成＞
図３は、チケット出力システム１０２の構成例を示した図である。
第１の実施の形態のチケット出力システム１０２は、チケット蓄積装置３０１とチケット変換装置３０２とから構成されている。
【００３３】
チケット蓄積装置３０１は、電子チケットを受信し、一時的に蓄積する装置である。チケット変換装置３０２は、電子チケットを紙チケットヘ変換する装置である。例えば、インクジェットプリンタ、レーザビームプリンタ、複写機等の画像出力装置で実現できる。
【００３４】
＜チケット出力システム１０２の動作＞
図６は、第１の実施の形態におけるチケット出力システム１０２の手順の一例を説明するフローチャートである。尚、チケット出力システム１０２はチケット出力システム１０２内にあるメインコントローラ（図示せず）により制御される。
【００３５】
チケット出力システム１０２は、電子チケットを受信し、一時的にチケット蓄積装置３０１に蓄積する（ステップＳ６０１）。
次に、チケット出力システム１０２は、チケット変換装置３０２により電子チケットを紙チケットヘ変換する（ステップＳ６０２）。
【００３６】
次に、「チケット利用状況情報流通」に関して説明する。
＜チケット入力システム１０４の構成＞
図４は、チケット入力システム１０４を示した図である。
第１の実施の形態のチケット入力システム１０４は、チケット入力装置４０１と原本確認情報取得装置４０２とから構成されている。
【００３７】
チケット入力装置４０１は、紙チケットを電子的な情報（以下、書面情報と言う）ヘ変換する装置である。例えば、スキャナ、ファクシミリ、デジタルカメラ等の画像入力装置で実現できる。原本確認情報取得装置４０２は、入力された書面情報から原本確認情報を取得する装置である。原本確認情報の取得方法は原本確認情報の付加方法に依存する。
【００３８】
＜チケット入力システム１０４の動作＞
図７は、第１の実施の形態におけるチケット入力システム１０４の入力手順を説明するフローチャートである。尚、チケット入力システム１０４は、チケット入力システム１０４内にあるメインコントローラ（図示せず）により制御される。
【００３９】
チケット入力システム１０４は、チケット入力装置４０１により、紙チケットを書面情報ヘ変換する（ステップＳ７００）。
次に、チケット入力システム１０４は、原本確認情報取得装置４０２に書面情報を入力し、原本確認情報を取得可能かどうか判別する（ステップＳ７０１）。
【００４０】
ステップＳ７０１の判別の結果、原本確認情報が取得可能ならばステップＳ７０２へ進み、原本確認情報が取得不可能ならばステップＳ７０３へ進む。
次に、チケット入力システム１０４は、紙チケットが原本であると判断し、チケットの有効性を認める（ステップＳ７０２）。
【００４１】
チケット入力システム１０４は、紙チケットが原本でないと判断し、チケットの有効性を認めない（ステップＳ７０３）。
次に、必要に応じて、チケット入力システム１０４は紙チケットの原本性等のチケット利用状況情報をチケット発行システム１０１ヘ送信する（ステップＳ７０４）。
【００４２】
尚、ステップＳ７０１にて原本確認情報が取得可能と判別された場合に、取得した原本確認情報をチケット発行システム１０１へ送信して、チケット発行システム１０１に原本確認情報を認証させるようにし、その認証結果に基づいて紙チケットの原本性を判断するようにしてもよい。
【００４３】
また、チケット発行システム１０１ではなく、第３者の認証システムで認証させるようにしてもよい。また、チケット入力システム１０４内に認証装置を設けて認証するようにしてもよい。これらの場合、原本確認情報には認証を行うチケット発行システム１０１、または認証システムにアクセスするためのＵＲＬや電子メールアドレスなどが含まれるようにしてもよい。
【００４４】
また、例えば、映画館やコンサート会場等にチケット入力システム１０４が設置されている場合、ステップＳ７０２にて紙チケットの有効性が認められると、紙チケットの所有者が入場できるように入り口のゲートや扉が自動的に開くようにしてもよい。
【００４５】
＜第１の実施の形態による効果＞
第１の実施の形態では、電子チケットに基づいて紙媒体に出力された原本の紙チケットからは原本確認情報を取得できるが、原本の紙チケットを真似て複製したような不正な紙チケットからは原本確認情報を取得できないので、紙チケットから原本確認情報を取得可能かどうかを判別することによって、紙チケットの原本性を検証することができる。
【００４６】
また、取得した原本確認情報を認証することによって、より高精度に紙チケットの原本性を検証することができる。
【００４７】
［第２の実施の形態］
以下、本発明の第２の実施の形態を説明する。
第２の実施の形態のチケット管理システムでは、鍵を用いて原本確認情報を電子チケットに付加する。そして、鍵を用いて紙チケットから原本確認情報を取得できるか否かを判別する。
【００４８】
第２の実施の形態のチケット管理システムの構成は、第１の実施の形態のチケット管理システムと同様に、単一または複数のチケット発行システム１０１と複数のチケット出力システム１０２と複数または単一のチケット入力システム１０４とから構成されているが、チケット発行システム１０１及びチケット入力システム１０４の構成は以下に説明するように第１の実施の形態とは異なる。
【００４９】
また、概略は第１の実施の形態と同様に、「電子チケット流通」、「紙チケット流通」、「チケット利用状況情報流通」の３つの流通過程からなる。
以下に、第２の実施の形態におけるそれぞれの流通の過程について個別に説明する。
まず、「電子チケット流通」に関して説明する。
【００５０】
＜チケット発行システム１０１の構成＞
図８は、チケット発行システム１０１の構成を示した図である。
第２の実施の形態のチケット発行システム１０１は、チケット発行装置２０１と、原本確認情報生成装置２０２と、原本確認情報付加装置２０３と、鍵共有装置８０４とから構成されている。なお、チケット発行装置２０１と原本確認情報生成装置２０２は第１の実施の形態と同様の構成である。
【００５１】
第２の実施の形態の原本確認情報付加装置２０３は、電子チケットと原本確認情報と鍵とを入力し、鍵を用いて電子チケットヘ電子透かしデータとして原本確認情報を付加する装置である。尚、鍵を用いて電子透かしデータとして付加された原本確認情報はその鍵に対応する鍵を用いなければ取得することができない。また、鍵は、電子透かしデータを電子チケットに付加する際に用いる埋め込み／抽出パラメータである。
【００５２】
鍵共有装置８０４は、チケット発行システム１０１にて原本確認情報の付加に用いる鍵とチケット入力システム１０４にて原本確認情報の取得に用いる鍵を共有するための装置である。
【００５３】
具体的には、例えば、鍵管理システム（図示せず）の保持する鍵をネットワーク１０３を介してチケット出力システム１０２の利用者に通知する装置や、原本確認情報付加装置２０３が自動的に鍵を生成する場合にはその生成された鍵を、ネットワーク１０３を介してチケット出力システム１０２の利用者へ通知する装置であり、チケット出力システム１０２の利用者は通知された鍵をチケット発行システム１０４に入力する。
【００５４】
また、共有する鍵は暗号技術を用いて生成される場合も考えられる。本実施の形態は、鍵の共有方法に関する発明ではないので、チケット発行システム１０１とチケット入力システム１０４が鍵を共有するための方法については、特に限定しない。
【００５５】
＜チケット発行システム１０１の動作＞
図１０は、第２の実施の形態におけるチケット発行システム１０１のチケット発行手順を説明するフローチャートである。尚、チケット発行システム１０１はチケット発行システム１０１内にあるメインコントローラ（図示せず）により制御される。
【００５６】
チケット発行システム１０１は、チケット発行装置２０１により電子チケットを生成する（ステップＳ１００１）。
次に、チケット発行システム１０１は、原本確認情報生成装置２０２により原本確認情報を生成する（ステップＳ１００２）。
【００５７】
次に、チケット発行システム１０１は、鍵共有装置８０４によりチケット入力システム１０４と鍵を共有する（ステップＳ１００３）。
次に、チケット発行システム１０１は、原本確認情報付加装置２０３に電子チケット、原本確認情報、鍵を入力し、鍵を用いて電子チケットに原本確認情報を付加する（ステップＳ１００４）。
【００５８】
次に、チケット発行システム１０１は、ネットワーク１０３を経由してチケット出力システム１０２へ電子チケットを送信する。「紙チケット流通」は第１の実施の形態と同様であるので説明を省略する（ステップＳ１００５）。
【００５９】
次に、「チケット利用状況情報流通」に関して説明する。
＜チケット入力システム１０４の構成＞
図９は、チケット入力システム１０４の構成を示した図である。
第２の実施の形態のチケット入力システム１０４は、チケット入力装置４０１と原本確認情報取得装置４０２と鍵共有装置９０３とから構成されている。
【００６０】
チケット入力装置２０１は、第１の実施の形態と同様である。鍵共有装置９０３は、上述のチケット発行システム１０１における鍵共有装置８０４と鍵を共有するための装置である。具体的には、例えば、紙チケットの所有者の操作によって鍵共有装置８０４から通知された鍵が入力される。第２の実施の形態の原本確認情報取得装置４０２は、紙チケットを変換した書面情報から鍵を用いて原本確認情報を取得する装置である。
【００６１】
＜チケット入力システム１０４の動作＞
図１１は、第２の実施の形態におけるチケット入力システム１０４のフローチャートである。尚、チケット入力システム１０４は、チケット入力システム１０４内にあるメインコントローラ（図示せず）により制御される。
【００６２】
チケット入力システム１０４は、鍵共有装置９０３により鍵を共有する。例えば、紙チケットの所有者の操作により、鍵が入力される（ステップＳ１１０１）。
次に、チケット入力システム１０４は、チケット入力装置４０１により、紙チケットを書面情報に変換する（ステップＳ１１０２）。
【００６３】
次に、チケット入力システム１０４は、鍵を用いて書面情報から原本確認情報を取得可能かどうか判別する（ステップＳ１１０３）。
ステップＳ１１０３の判別の結果、原本確認情報が取得可能ならばステップＳ１１０４へ進み、原本確認情報が取得不可能ならばステップＳ１１０５へ進む。
【００６４】
次に、チケット入力システム１０４は、紙チケットが原本であり、かつ所有者が紙チケットの正当な利用者であると判断し、チケットの有効性を認める（ステップＳ１１０４）。
次に、チケット入力システム１０４は、紙チケットが原本でない、かつ／または所有者が紙チケットの正当な利用者でないと判断し、チケットの有効性を認めない（ステップＳ１１０５）。
【００６５】
次に、必要に応じて、チケット入力システム１０４は紙チケットの原本性や所有者の正当性などのチケット利用状況情報をチケット発行システム１０１ヘ送信する（ステップＳ１１０６）。
【００６６】
尚、ステップＳ１１０３にて原本確認情報が取得可能と判別された場合に、取得した原本確認情報をチケット発行システム１０１へ送信して、チケット発行システム１０１に原本確認情報を認証させるようにし、その認証結果に基づいてチケッの原本性や所有者の正当性を判断するようにしてもよい。
【００６７】
また、チケット発行システム１０１ではなく、第３者の認証システムで認証させるようにしてもよい。また、チケット入力システム１０４内に認証装置を設けて認証するようにしてもよい。これらの場合、原本確認情報には認証を行うチケット発行システム１０１または認証システムにアクセスするためのＵＲＬや電子メールアドレスなどが含まれるようにしてもよい。
【００６８】
また、例えば、映画館やコンサート会場等にチケット入力システム１０４が設置されている場合、ステップＳ１１０４にて紙チケットの有効性が認められると、紙チケットの所有者が入場できるように入り口のゲートや扉が自動的に開くようにしてもよい。
【００６９】
＜第２の実施の形態による効果＞
第２の実施の形態では、鍵を知る特定の利用者だけが、紙チケットから原本確認情報を取得することができるので、紙チケットの所有者が原本確認情報を取得可能かどうかによって、紙チケットの所有者が正当な利用者であるかの検証もすることができる。
また、取得した原本確認情報を認証することによって、より高精度に紙チケットの原本性や紙チケットの所有者の正当性を検証することができる。
【００７０】
［第３の実施の形態］
以下、本発明の第３の実施の形態を説明する。
第３の実施の形態のチケット管理システムでは、鍵を用いて暗号化した原本確認情報（暗号化原本確認情報）を、電子チケットを紙媒体に出力した紙チケットにも付加できるように電子チケットに付加する。そして、鍵を用いて紙チケットに含まれる暗号化原本確認情報を復号できるか否かを判別する。
【００７１】
第３の実施の形態のチケット管理システムの構成は、第１の実施の形態と同様であり、単一または複数のチケット発行システム１０１と複数のチケット出力システム１０２と複数または単一のチケット入力システム１０４とから構成されているが、チケット発行システム１０１及びチケット入力システム１０４の構成は以下に説明するように第１の実施の形態とは異なる。
【００７２】
また、概略は第１の実施の形態と同様に、「電子チケット流通」、「紙チケット流通」、「チケット利用状況情報流通」の３つの流通過程からなる。以下に、第３の実施の形態におけるそれぞれの流通過程について個別に説明する。まず、第３の実施の形態における「電子チケット流通」に関して説明する。
【００７３】
＜チケット発行システム１０１の構成＞
図１２は、チケット発行システム１０１の構成を示した図である。
第３の実施の形態のチケット発行システム１０１は、チケット発行装置２０１と、原本確認情報生成装置２０２と、原本確認情報付加装置２０３と、鍵共有装置８０４と、暗号化装置１２０６とから構成されている。
【００７４】
チケット発行装置２０１と、原本確認情報生成装置２０２は第１の実施の形態と同様であり、鍵共有装置８０４は第２の実施の形態と同様である。暗号化装置１２０６は、原本確認情報と鍵を入力し、鍵を用いて原本確認情報を暗号化して暗号化原本確認情報を出力する装置である。
【００７５】
したがって、第３の実施の形態の原本確認情報付加装置２０３には暗号化原本確認情報と電子チケットとが入力され、電子チケットには暗号化原本確認情報が付加される。尚、鍵を用いて暗号化された原本確認情報は、その鍵に対応する鍵を用いなければ復号化することができない。
【００７６】
＜チケット発行システム１０１の動作＞
図１４は、第３の実施の形態におけるチケット発行システム１０１のチケット発行手順を説明するフローチャートである。尚、チケット発行システム１０１はチケット発行システム１０１内にあるメインコントローラ（図示せず）により制御される。
【００７７】
チケット発行システム１０１は、チケット発行装置２０１により電子チケットを生成する（ステップＳ１４０１）。
次に、チケット発行システム１０１は、原本確認情報生成装置２０２により原本確認情報を生成する（ステップＳ１４０２）。
【００７８】
チケット発行システム１０１は、鍵共有装置８０４により鍵を共有する（ステップＳ１４０３）。
次に、チケット発行システム１０１は、暗号化装置１２０６に鍵と原本確認情報とを入力し、鍵を用いて原本確認情報を暗号化して暗号化原本確認情報を出力させる（ステップＳ１４０４）。
【００７９】
チケット発行システム１０１は、原本確認情報付加装置２０３に電子チケットと暗号化原本確認情報とを入力し、電子チケットに暗号化原本確認情報を付加する（ステップＳ１４０５）。
次に、チケット発行システム１０１は、ネットワーク１０３を経由してチケット出力システム１０２へ電子チケットを送信する（ステップＳ１４０６）。「紙チケット流通」は第１の実施の形態と同様であるので説明を省略する。
【００８０】
次に、「チケット利用状況情報流通」に関して説明する。
＜チケット入力システム１０４の構成＞
図１３は、チケット入力システム１０４の構成を示した図である。
第３の実施の形態のチケット入力システム１０４は、チケット入力装置４０１と、原本確認情報取得装置４０２と、鍵共有装置９０３と、復号装置１３０７から構成されている。
【００８１】
チケット入力装置４０１と、原本確認情報取得装置４０２は第１の実施の形態と同様な構成であり、鍵共有装置９０３は第２の実施の形態と同様な構成である。
復号装置１３０７は、暗号化原本確認情報と鍵とを入力し、鍵を用いて暗号化原本確認情報を復号して原本確認情報を出力するための装置である。
【００８２】
＜チケット入力システム１０４の動作＞
図１５は、第３の実施の形態におけるチケット入力システム１０４の入力手順を説明するフローチャートである。尚、チケット入力システム１０４はチケット入力システム１０４内にあるメインコントローラ（図示せず）により制御される。
【００８３】
チケット入力システム１０４は、チケット入力装置４０１により、紙チケットを書面情報ヘ変換する（ステップＳ１５００）。
次に、チケット入力システム１０４は、原本確認情報取得装置４０２により書面情報から暗号化原本確認情報を取得可能かどうか判別する（ステップＳ１５０１）。
【００８４】
ステップＳ１５０１での判別の結果、暗号化原本確認情報が取得可能ならばステップＳ１５０２へ進み、暗号化原本確認情報が取得不可能ならばステップＳ１５０５へ進む。
次に、チケット入力システム１０４は、鍵共有装置９０３により鍵を共有する（ステップＳ１５０２）。
【００８５】
次に、チケット入力システム１０４は、鍵を用いて暗号化原本確認情報を復号可能かどうか判別する（ステップＳ１５０３）。
ステップＳ１５０３の判別の結果、暗号化原本確認情報が復号可能ならばステップＳ１５０４へ進み、復号不可能ならばステップＳ１５０５へ進む。
【００８６】
ステップＳ１５０４においては、チケット入力システム１０４は紙チケットが原本であり、かつ所有者が紙チケットの正当な利用者であると判断し、チケットの有効性を認める。
【００８７】
チケット入力システム１０４、は紙チケットが原本でない、かつ／または所有者が紙チケットの正当な利用者でないと判断し、チケットの有効性を認めない（ステップＳ１５０５）。
【００８８】
必要に応じて、チケット入力システム１０４は、紙チケットの原本性や紙チケットの所有者の正当性等のチケット利用状況情報をチケット発行システム１０１ヘ送信する（ステップＳ１５０６）。尚、ステップＳ１５０１にて原本確認情報が取得可能と判別された場合に、取得した原本確認情報をチケット発行システム１０１へ送信して、チケット発行システム１０１に原本確認情報を認証させるようにし、その認証結果に基づいてチケットの原本性や所有者の正当性を判断するようにしてもよい。
【００８９】
また、チケット発行システム１０１ではなく、第３者の認証システムで認証させるようにしてもよい。また、チケット入力システム１０４内に認証装置を設けて認証するようにしてもよい。これらの場合、原本確認情報には認証を行うチケット発行システム１０１または認証システムにアクセスするためのＵＲＬや電子メールアドレスなどが含まれるようにしてもよい。
【００９０】
また、例えば、映画館やコンサート会場等にチケット入力システム１０４が設置されている場合、ステップＳ１５０４にて紙チケットの有効性が認められると、紙チケットの所有者が入場できるように入り口のゲートや扉が自動的に開くようにしてもよい。
【００９１】
＜第３の実施の形態による効果＞
第３の実施の形態では、鍵を知る特定の利用者だけが紙チケットに含まれる暗号化原本確認情報を復号することができるので、紙チケットの所有者が暗号化原本確認情報を復号可能かどうかによって、紙チケットの所有者が正当な利用者であるかも検証することができる。
【００９２】
また、復号した原本確認情報を認証することによって、より高精度に紙チケットの原本性や紙チケットの所有者の正当性を検証することができる。
【００９３】
[他の実施形態]
本発明では、電子ケットを紙媒体に出力した紙チケットを用いた場合について説明したが、プラスチック、布、ガラスなど紙以外の媒体に出力した出力チケットを用いるようにしてもよい。
【００９４】
また、本発明は複数の機器（例えば、ホストコンピュータ、インタフェース機器、リーダ、プリンタ等）から構成されているシステムに適用しても１つの機器からなる装置に適用しても良い。
【００９５】
また、上述した実施の形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００９６】
また、この場合、上記ソフトウェアのプログラムコード自体が上述した実施形態の機能を実現することになり、そのプログラムコード自体、及びそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００９７】
また、コンピュータが供給されたプログラムコードを実行することにより、上述の実施形態で説明した機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００９８】
更に、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれる。
【００９９】
【発明の効果】
本発明によれば、紙チケットが電子チケットを紙媒体に出力した原本の紙チケットであるかを検証することができる。
また、本発明の他の特徴によれば、紙チケットの所有者が正当な利用者であるかどうかを検証することができる。
【図面の簡単な説明】
【図１】本実施の形態のチケット管理システムの構成を示す図である。
【図２】本実施の形態のチケット発行システムの構成を示す図である。
【図３】本実施の形態のチケット出力システムの構成を示す図である。
【図４】本実施の形態のチケット入力システムの構成を示す図である。
【図５】本実施の形態のチケット発行システムの動作を示すフローチャートである。
【図６】本実施の形態のチケット出力システムの動作を示すフローチャートである。
【図７】本実施の形態のチケット入力システムの動作を示すフローチャートである。
【図８】本実施の形態のチケット発行システムの構成を示す図である。
【図９】本実施の形態のチケット入力システムの構成を示す図である。
【図１０】本実施の形態のチケット発行システムの動作を示すフローチャートである。
【図１１】本実施の形態のチケット入力システムの動作を示すフローチャートである。
【図１２】本実施の形態のチケット発行システムの構成を示す図である。
【図１３】本実施の形態のチケット入力システムの構成を示す図である。
【図１４】本実施の形態のチケット発行システムの動作を示すフローチャートである。
【図１５】本実施の形態のチケット入力システムの動作を示すフローチャートである。
【符号の説明】
１０１  チケット発行システム
１０２  チケット出力システム
１０３  ネットワーク
１０４  チケット入力システム
【図１】
0003848127.tif 000002
【図２】
0003848127.tif 000003
【図３】
0003848127.tif 000004
【図４】
0003848127.tif 000005
【図５】
0003848127.tif 000006
【図６】
0003848127.tif 000007
【図７】
0003848127.tif 000008
【図８】
0003848127.tif 000009
【図９】
0003848127.tif 000010
【図１０】
0003848127.tif 000011
【図１１】
0003848127.tif 000012
【図１２】
0003848127.tif 000013
【図１３】
0003848127.tif 000014
【図１４】
0003848127.tif 000015
【図１５】
0003848127.tif 000016